(57)【特許請求の範囲】
【請求項１】
板状部材と、
前記板状部材の下方に設けられ、前記板状部材に上方から対向する原稿の画像を読み取る画像読取部と、
上方に開口し、前記画像読取部を収容する収容部と、
前記収容部を下方から覆うように設けられたカバーと、を含み、
前記収容部は、前記画像読取部に下方から対向する底部を備え、
前記画像読取部と前記底部との間には、隙間が形成されており、
前記底部の少なくとも一部には、水平方向に対して傾斜する傾斜部が形成され、
前記収容部は、前記底部から上方に延出する側部を備え、
前記傾斜部の下端と前記側部とがなす角部には、貫通孔が形成され、
前記貫通孔は、前記カバーに上方から対向している、画像読取装置。
【請求項２】
前記貫通孔は、上下方向と前記傾斜部の傾斜方向とに直交する方向に並んで複数形成されている、請求項１に記載の画像読取装置。
【請求項３】
前記画像読取部と前記底部との間に設けられ、前記画像読取部を前記板状部材に向けて押圧する押圧部材をさらに含み、
前記画像読取部と前記底部との間には、前記押圧部材の介在による前記隙間が形成されている、請求項１または２に記載の画像読取装置。
【請求項４】
前記傾斜部は、前記底部の全体に形成されている、請求項１〜３のいずれか一項に記載の画像読取装置。
【請求項５】
前記側部は、前記底部から上方に延出し、前記画像読取部に対して前記傾斜部の傾斜方向に沿った側方において、前記画像読取部の全周を取り囲む、請求項１〜４のいずれか一項に記載の画像読取装置。
【請求項６】
前記側部は、前記板状部材を下方から支持する支持部と、前記板状部材の側面に当接する当接部とを有し、前記板状部材を保持している、請求項１〜５のいずれか一項に記載の画像読取装置。
【請求項７】
シートに画像を形成する画像形成部と、
前記収容部の下方に配置され、前記画像形成部によって画像が形成されたシートが排出されるシート排出部と、をさらに含み、
前記カバーは、前記収容部と前記シート排出部との間に設けられている、請求項１〜６のいずれか一項に記載の画像読取装置。
【請求項８】
前記カバーには、前記貫通孔に下方から対向する部分に下方に凹んだ凹部が形成されている、請求項１〜７のいずれか一項に記載の画像読取装置。
【発明の詳細な説明】
【技術分野】
【０００１】
本発明は、原稿の画像を読み取る画像読取装置に関する。
【背景技術】
【０００２】
原稿の画像を読み取る画像読取装置は、それ単体でイメージスキャナとして、また、画像形成装置と組み合わせて用いられている。
【０００３】
画像読取装置には、トレイに載置されたシート状の原稿を搬送路に沿って搬送する搬送機構が備えられている。イメージセンサは、収容部に収容されている。収容部は、上面が開放された形状をなしている。
【０００４】
原稿が搬送路に沿って搬送される途中で、原稿がイメージセンサに対向する。このとき、光がイメージセンサから原稿に照射される。そして、原稿での反射光がイメージセンサに受けられることにより、原稿に形成されている画像の読取りが達成される。
【先行技術文献】
【特許文献】
【０００５】
【特許文献１】特開２００６−１８２５４２号公報
【発明の概要】
【発明が解決しようとする課題】
【０００６】
画像読取装置の設計段階では、装置の使用状況を想定して、各部に故障が生じないように設計がなされる。
【０００７】
ところが、本願発明者は、画像読取装置に水などの液体がかかるという、通常の装置の使用状況からは生じ得ない事態の発生を想定した。そして、本願発明者は、水濡れによるイメージセンサの故障の発生を抑制する構成を考えた。
【０００８】
本発明は、本願発明者の創意工夫によってなされたものであり、その目的は、水濡れによる画像読取部の故障の発生を抑制できる、画像読取装置を提供することである。
【課題を解決するための手段】
【０００９】
前記の目的を達成するため、本発明に係る画像読取装置は、板状部材と、前記板状部材の下方に設けられ、前記板状部材に上方から対向する原稿の画像を読み取る画像読取部と、上方に開口し、前記画像読取部を収容する収容部とを含む。前記収容部は、前記画像読取部に下方から対向する底部を備えている。前記底部の少なくとも一部には、水平方向に対して傾斜する傾斜部が形成されている。前記傾斜部の下部には、貫通孔が形成されている。
【００１０】
板状部材の下方には、画像読取部が配置されている。原稿は、板状部材に上方から対向する。このとき、画像読取部により、原稿の画像が板状部材を通して読み取られる。
【００１１】
画像読取部は、収容部に収容されている。収容部は、上方に開口している。収容部の底部は、画像読取部に下方から対向している。
【００１２】
底部の少なくとも一部には、水平方向に対して傾斜する傾斜部が形成されている。傾斜部の下部には、貫通孔が形成されている。これにより、たとえ収容部の開口から収容部内に液体が入り込んでも、液体は、底部の傾斜部上を傾斜部の下部に向けて流れる。そして、液体は、傾斜部の下部に形成された貫通孔から排出される。そのため、収容部内の画像読取部が液体に浸かったままにならない。よって、水濡れによる画像読取部の故障の発生を抑制することができる。
【００１３】
貫通孔は、傾斜部の下部の下端に形成されていることが好ましい。これにより、傾斜部の下部の下端上に液体を残すことなく、収容部内に入り込んだ液体をすべて排出することができる。そのため、水濡れによる画像読取部の故障の発生を一層抑制することができる。
【００１４】
収容部は、底部の傾斜方向において画像読取部に対する少なくとも一方側に、底部から上方に延出する側部を備えていてもよい。この場合、貫通孔は、側部と底部の下部とがなす角部に形成されていることが好ましい。側部と底部の下部とがなす角部は、収容部で最も下方に位置する部分となり、底部上を流れる液体が溜まる部分となる。この部分に貫通孔が形成されていることにより、底部上から液体を良好に排除することができる。その結果、水濡れによる画像読取部の故障の発生を一層抑制することができる。
【００１５】
貫通孔は、上下方向と傾斜部の傾斜方向とに直交する幅方向に並んで複数形成されていることが好ましい。液体が幅方向に片寄った位置に達しても、その位置付近に形成されている貫通孔から排出することができる。その結果、底部上から液体を良好に排除することができる。
【００１６】
画像読取部と底部との間には、画像読取部を板状部材に向けて押圧する押圧部材が設けられていてもよい。画像読取部が板状部材に向けて押圧されることにより、画像読取部が板状部材に対してがたつくことを抑制できる。その結果、画像読取部を板状部材に対して精度よく位置決めすることができる。
【００１７】
また、押圧部材が設けられることにより、画像読取部と底部との間には、押圧部材の介在による隙間が形成される。そのため、収容部内に入り込んだ液体が底部上を流れるときに、液体が画像読取部に触れることを抑制できる。その結果、水濡れによる画像読取部の故障の発生を一層抑制することができる。
【００１８】
傾斜部は、底部の全体に形成されていることが好ましい。言い換えれば、底部の全体が水平方向に対して傾斜していることが好ましい。これにより、底部の全域上において、収容部に入り込んだ液体が滞留することを抑制できる。
【００１９】
収容部の側部は、画像読取部の全周を取り囲んでいてもよい。この構成においても、貫通孔が形成されているので、収容部内に入り込んだ液体を貫通孔から排出することができる。
【００２０】
収容部の側部は、板状部材を下方から支持する支持部と、板状部材の側面に当接する当接部とを有し、板状部材を保持していてもよい。液体が板状部材と当接部との間および板状部材と支持部との間を通って収容部内に入り込んでも、その液体を貫通孔から排出することができる。
【００２１】
画像読取装置には、シートに画像を形成する画像形成部と、収容部の下方に配置され、画像形成部によって画像が形成されたシートが排出されるシート排出部とがさらに含まれていてもよい。この場合、収容部とシート排出部との間に、カバーが収容部を下方から覆うように設けられていることが好ましい。この構成によれば、収容部の貫通孔から排出された液体をカバーで受けることができる。そのため、収容部の貫通孔から排出された液体がシート排出部にかかることを抑制できる。その結果、シート排出部に排出されたシートに液体がかかったり、画像形成部内に液体が入り込んだりすることを抑制できる。
【００２２】
カバーには、貫通孔に下方から対向する部分に下方に凹んだ凹部が形成されていることが好ましい。この場合、カバーで受けた液体を凹部に溜めることができる。そのため、カバーで受けた液体がカバーから溢れることを抑制できる。
【発明の効果】
【００２３】
本発明によれば、画像読取部を収容する収容部内に液体が入り込んでも、その液体を収容部内から排除することができる。そのため、水濡れによる画像読取部の故障の発生を抑制することができる。
【図面の簡単な説明】
【００２４】
【図１】図１は、本発明の一実施形態に係る複合機１の斜視図である。
【図２】図２は、前記複合機１の図解的な断面図である。
【図３】図３は、前記複合機１に備えられるスキャナフレーム９の一部分の平面図である。
【図４】図４は、前記スキャナフレーム９の底面図である。
【図５】図５は、図４に示される切断面線Ａ−Ａにおける操作パネルフレーム８および前記スキャナフレーム９の断面図である。
【図６】図６は、図４に示される切断面線Ｂ−Ｂにおける前記操作パネルフレーム８および前記スキャナフレーム９の断面図である。
【図７】図７は、図４に示される切断面線Ｃ−Ｃにおける前記操作パネルフレーム８および前記スキャナフレーム９の断面図である。
【発明を実施するための形態】
【００２５】
以下では、本発明の実施の形態について、添付図面を参照しつつ詳細に説明する。
＜複合機の全体構成＞
【００２６】
図１および図２に示されるように、画像読取装置の一例としての複合機１は、スキャナ機能に加えて、ファクシミリ機能およびプリンタ機能を有している。スキャナ機能は、原稿の画像を読み取る機能である。ファクシミリ機能は、公衆電話回線を介して画像データを送受信する機能である。プリンタ機能は、画像データに基づいて、用紙などのシートに画像を形成する機能である。
【００２７】
なお、複合機１を平面上に載置した状態で、そのイメージスキャナ１を正面側から見て、前後、左右および上下を規定する。そして、図１以降の各図では、図面の理解を助けるために、その規定された方向を矢印で示す。
【００２８】
複合機１は、本体ケーシング２を備えている。
【００２９】
本体ケーシング２は、平面視略矩形状に形成されている。本体ケーシング２には、左側壁３および右側壁４が左右方向、つまり複合機１の幅方向に間隔を空けて設けられている。左側壁３および右側壁４の上面は、同一平面内に配置され、それぞれ前下がりに傾斜している。
【００３０】
左側壁３および右側壁４間には、シート排出部の一例としての排出トレイ５が架設されている。
【００３１】
排出トレイ５の前端部は、左側壁３および右側壁４の前端部から後方に略水平に延びている。排出トレイ５の前端部よりも後側の部分は、後下がりに傾斜している。
【００３２】
また、図１に示されるように、本体ケーシング２の下部には、シートを収容可能な供給カセット６が設けられている。
【００３３】
そして、図２に示されるように、本体ケーシング２内には、排出トレイ５と供給カセット６との間に、プリンタ機能を実現するための画像形成部７が設けられている。
【００３４】
画像形成部７は、供給カセット６から搬送されてくるシートに微滴化したインクを直接に噴射して、シートに画像を形成する、インクジェット方式を採用したものであってもよい。また、画像形成部７は、供給カセット６から搬送されてくるシートにトナー像を転写および定着して、シートに画像を形成する、電子写真方式を採用したものであってもよい。画像形成部７によって画像が形成されたシートは、本体ケーシング２内から排出トレイ５上に排出される。
【００３５】
また、左側壁３および右側壁４間には、図１，２に示されるように、排出トレイ５の上方において、操作パネルフレーム８およびスキャナフレーム９が上下方向に重なる状態で架設されている。
【００３６】
操作パネルフレーム８の上面には、図１に示されるように、操作パネル１０が設けられている。
【００３７】
操作パネル１０の上面は、左側壁３および右側壁４の上面の略後半分の部分と同一平面内に配置されている。操作パネル１０の上面には、液晶表示器１１および各種の操作ボタン１２が配置されている。操作ボタン１２の押操作により、スキャナ機能、プリンタ機能およびファクシミリ機能に関する設定を行うことができる。そして、その設定した内容などの情報が液晶表示器１１に表示される。
【００３８】
また、左側壁３の上面には、送受話器１３が設けられている。複合機１では、送受話器１３を左側壁３の上面から取り上げて、公衆電話回線を介した通話をすることができる。
【００３９】
操作パネルフレーム８とスキャナフレーム９との間には、図２に示されるように、供給ローラ１４、１対のＬＦローラ１５および１対の排出ローラ１６が設けられている。
【００４０】
供給ローラ１４は、操作パネルフレーム８の後端部の下方に配置されている。供給ローラ１４は、左右方向に延びる軸線を中心に回転可能に設けられている。供給ローラ１４の上方には、分離片１７が設けられている。
【００４１】
分離片１７は、たとえば、ゴムからなる。分離片１７の基端部は、操作パネルフレーム８に取り付けられている。分離片１７は、前下がりに傾斜した姿勢をなしている。分離片１７の遊端部は、供給ローラ１４の周面における最上位置よりも少し前側の位置に前上方から弾性的に当接している。
【００４２】
１対のＬＦローラ１５は、供給ローラ１４に対して前下方に間隔を空けて配置されている。各ＬＦローラ１５は、左右方向に延びる軸線を中心に回転可能に設けられている。一方のＬＦローラ１５は、相対的に上方に配置されている。他方のＬＦローラ１５は、相対的に下方に配置されている。上側のＬＦローラ１５の周面は、下側のＬＦローラ１５の周面に少し前寄りの上方から当接している。
【００４３】
１対の排出ローラ１６は、ＬＦローラ１５に対して前下方に間隔を空けて配置されている。各排出ローラ１６は、左右方向に延びる軸線を中心に回転可能に設けられている。一方の排出ローラ１６は、相対的に上方に配置されている。他方の排出ローラ１６は、相対的に下方に配置されている。上側の排出ローラ１６の周面は、下側の排出ローラ１６の周面に上方から当接している。
【００４４】
ＬＦローラ１５と排出ローラ１６との間には、コンタクトガラス１８が設けられている。
【００４５】
コンタクトガラス１８は、左右方向および前後方向に延びる板状部材である。コンタクトガラス１８は、ガラス製の透明な板状部材である。本実施形態に係るコンタクトガラス１８は、本発明の板状部材の一例である。コンタクトガラス１８は、前下がりに傾斜した姿勢に配置されている。コンタクトガラス１８の上面は、各ＬＦローラ１５の周面の接触位置と各排出ローラ１６の周面の接触位置とを結ぶ直線に沿って延びている。
【００４６】
コンタクトガラス１８の下方には、画像読取部の一例としてのＣＩＳ（Contact
Image Sensor）モジュール１９が設けられている。
【００４７】
ＣＩＳモジュール１９は、全体として、左右方向に長い略直方体形状をなしている。ＣＩＳモジュール１９の内部には、たとえば、ＬＥＤ光源、レンズおよびイメージセンサが設けられている。また、ＣＩＳモジュール１９の底部には、イメージセンサを含む電子部品が実装された基板２３が設けられている。
【００４８】
コンタクトガラス１８の上方には、押さえ部材２０が設けられている。
【００４９】
押さえ部材２０は、たとえば、薄い金属板からなる。押さえ部材２０の基端部は、操作パネルフレーム８に取り付けられている。押さえ部材２０は、その基端部からコンタクトガラス１８に向けて前下方に延び、コンタクトガラス１８の上面に沿うように屈曲し、コンタクトガラス１８の上面と平行に前方に延び、コンタクトガラス１８の上面と直交する方向に屈曲している。
【００５０】
スキャナフレーム９は、供給ローラ１４の後方で後上がりに傾斜して延びる原稿載置部２１を有している。
【００５１】
原稿載置部２１の後方には、原稿載置トレイ２２が設けられている。
【００５２】
原稿載置トレイ２２は、後上がりに延びている。原稿載置トレイ２２の上面は、原稿載置部２１の上面と同一平面内に配置されており、原稿載置部２１の上面と同じ傾斜角度で傾斜している。
＜画像の読取り＞
【００５３】
複合機１では、スキャナ機能により、シート状の原稿の画像を読み取ることができる。以下、原稿の画像の読取りについて時系列的に説明する。
【００５４】
原稿は、画像が形成された面を下方に向けて、原稿載置部２１および原稿載置トレイ２２上にそれらに跨がった状態で載置される。このとき、原稿は、その先端部が供給ローラ１４および分離片１７に当接するまで、操作パネルフレーム８とスキャナフレーム９との間に差し込まれる。
【００５５】
たとえば、操作パネル１０の操作ボタン１２の押操作により、原稿の画像の読取りの開始が指示される。読取りの開始が指示されると、供給ローラ１４が左側から見て時計回りに回転される。そして、原稿の下面と供給ローラ１４の周面との摩擦力により、原稿の搬送が開始される。
【００５６】
原稿は、供給ローラ１４と分離片１７との間を通過して、ＬＦローラ１５に向けて搬送される。上側のＬＦローラ１５は、左側から見て反時計回りに回転されている。下側のＬＦローラ１５は、前側から見て時計回りに回転されている。原稿の先端が各ＬＦローラ１５の周面の接触部分に当接すると、ＬＦローラ１５の回転により、原稿の先端部が各ＬＦローラ１５の周面の間に引き込まれる。原稿の上面および下面にそれぞれ上下のＬＦローラ１５の周面が接触し、ＬＦローラ１５の周面から原稿に搬送力が付与される。
【００５７】
原稿の搬送が進むと、原稿の下面がコンタクトガラス１８と対向する。原稿の搬送がさらに進むと、原稿がコンタクトガラス１８と押さえ部材２０との間に進入する。押さえ部材２０により、原稿の下面がコンタクトガラス１８の上面に押しつけられる。そして、ＣＩＳモジュール１９から原稿におけるコンタクトガラス１８と押さえ部材２０との間に挟まれた部分に光が照射される。原稿の下面での反射光がＣＩＳモジュール１９内のイメージセンサに受けられることにより、原稿の下面に形成されている画像の読取りが達成される。
【００５８】
上側の排出ローラ１６は、左側から見て反時計回りに回転されている。下側の排出ローラ１６は、左側から見て時計回りに回転されている。原稿の先端が各排出ローラ１６の周面の接触部分に当接すると、排出ローラ１６の回転により、原稿の先端部が各排出ローラ１６の周面の間に引き込まれる。原稿の上面および下面にそれぞれ上下の排出ローラ１６の周面が接触し、排出ローラ１６の周面から原稿に搬送力が付与される。これにより、排出ローラ１６によるシートの搬送が続けられる。原稿の後端が排出ローラ１６から離れると、原稿は、排出トレイ５上に排出される。
＜収容部＞
【００５９】
スキャナフレーム９には、図２、図３および図４に示されるように、収容部３１が形成されている。
【００６０】
収容部３１は、図５、図６および図７に示されるように、底部３２および側部３３を有している。
【００６１】
底部３２は、ＣＩＳモジュール１９に対して下方に間隔を空けて配置されている。底部３２は、左右方向に長い矩形板状に形成されている。また、底部３２は、水平面に対してコンタクトガラス１８の傾斜角度と同じ傾斜角度で前下がりに傾斜している。底部３２の上面に対して直交する方向から見たときに、底部３２の周縁部は、ＣＩＳモジュール１９よりも底部３２の上面に沿う側方にはみ出ている。
【００６２】
側部３３は、壁部３４、支持部３５および当接部３６を有している。
【００６３】
壁部３４は、底部３２の全周縁部からコンタクトガラス１８に向けて、底部３２と直交する方向に延出している。
【００６４】
支持部３５は、壁部３４の上端全周から側方に張り出す四角鍔状に形成されている。
【００６５】
当接部３６は、支持部３５の全周縁部から上方に、コンタクトガラス１８と直交する方向に延出している。
【００６６】
そして、コンタクトガラス１８は、収容部３１の開口を閉塞するように配置されて、収容部３１に保持されている。具体的には、コンタクトガラス１８は、当接部３６の内側に配置されている。コンタクトガラス１８の下面の周縁部には、支持部３５が下方から当接している。また、コンタクトガラス１８の側面には、当接部３６が当接している。これにより、コンタクトガラス１８は、支持部３５によって下方から支持されるとともに、当接部３６によって底部３２と平行な方向に位置決めされている。
【００６７】
また、ＣＩＳモジュール１９は、コンタクトガラス１８および収容部３１の間の空間内に配置されている。底部３２には、図４および図６に示されるように、左右方向に間隔を空けた２つの位置に、下方に凹む凹部３７が形成されている。各凹部３７内には、図６に示されるように、押圧部材の一例としてのコイルばね３８が配置されている。各コイルばね３８は、ＣＩＳモジュール１９と凹部３７との間に圧縮状態で介在されている。ＣＩＳモジュール１９は、コイルばね３８の弾性力により、コンタクトガラス１８に向けて付勢されている。これにより、ＣＩＳモジュール１９は、コンタクトガラス１８に押圧され、コンタクトガラス１８に対してがたつきなく位置決めされている。また、ＣＩＳモジュール１９と凹部３７との間にコイルばね３８が介在されることにより、ＣＩＳモジュール１９と底部３２との間には、隙間３９が生じている。
【００６８】
底部３２の前端部と側部３３とがなす角部には、図３、図４および図５に示されるように、３個の貫通孔４０が左右方向に間隔を空けて形成されている。具体的には、貫通孔４０は、底部３２の前端部と側部３３とがなす角部における左右方向の中央部、左端部および右端部に１個ずつ形成されている。各貫通孔４０は、図４に示されるように、底部３２の前端部と側部３３とに跨がっている。各貫通孔４０は、正面視および底面視のいずれにおいても矩形状をなしている。
＜カバー＞
【００６９】
収容部３１の下方には、トレイ状のカバー５１が設けられている。
【００７０】
カバー５１は、スキャナフレーム９に取り付けられている。具体的には、スキャナフレーム９には、複数の円柱状のボス５２が形成されている。各ボス５２は、スキャナフレーム９から下方に向けて突出し、コンタクトガラス１８と直交する方向に延びている。カバー５１の上面が各ボス５２の下端に当接した状態で、ねじ５３がカバー５１を貫通し、ねじ５３の先端部がボス５２にねじ込まれることにより、カバー５１がスキャナフレーム９に取り付けられている。
【００７１】
カバー５１には、その前端部を除いて、下方に凹む凹部５４が形成されている。収容部３１の貫通孔４０は、凹部５４の前端部に上方から対向している。
＜作用効果＞
【００７２】
以上のように、コンタクトガラス１８の下方には、ＣＩＳモジュール１９が配置されている。原稿は、コンタクトガラス１８に上方から対向する。このとき、ＣＩＳモジュール１９により、原稿の画像がコンタクトガラス１８を通して読み取られる。
【００７３】
ＣＩＳモジュール１９は、収容部３１に収容されている。収容部３１は、上方に開口している。収容部３１の底部３２は、ＣＩＳモジュール１９に下方から対向している。
【００７４】
底部３２は、傾斜部の一例であり、その全体が水平面に対して前下がりに傾斜している。底部３２の下部、具体的には、底部３２の前端部と側部３３とがなす角部には、貫通孔４０が形成されている。これにより、たとえ収容部３１内に液体が入り込んでも、液体は、底部３２上を底部３２の前端部と側部３３とがなす角部に向けて流れる。そして、液体は、底部３２の前端部と側部３３とがなす角部に形成された貫通孔４０から排出される。そのため、収容部３１内のＣＩＳモジュール１９、とくにＣＩＳモジュール１９の基板２３が液体に浸かったままにならない。よって、水濡れによるＣＩＳモジュール１９の故障の発生、たとえば、ＣＩＳモジュール１９の基板２３の故障の発生を抑制することができる。
【００７５】
底部３２の前端部と側部３３とがなす角部は、底部３２の下端である。その角部に貫通孔４０が形成されているので、底部３２の下端上に液体を残すことなく、収容部３１内に入り込んだ液体をすべて排出することができる。そのため、水濡れによるＣＩＳモジュール１９の故障の発生を一層抑制することができる。
【００７６】
また、底部３２の全体が水平方向に対して傾斜している。これにより、底部３２の全域上において、収容部３１に入り込んだ液体が滞留することを抑制できる。
【００７７】
貫通孔４０は、１個だけ形成されていてもよいし、複数個形成されていてもよい。複合機１では、３個の貫通孔４０が左右方向に間隔を空けて形成されている。これにより、液体が左右方向に片寄った位置に達しても、その位置付近に形成されている貫通孔４０から排出することができる。その結果、底部３２上から液体を良好に排除することができる。
【００７８】
ＣＩＳモジュール１９と底部３２との間には、ＣＩＳモジュール１９をコンタクトガラス１８に向けて押圧するコイルばね３８が設けられている。ＣＩＳモジュール１９がコンタクトガラス１８に向けて押圧されることにより、ＣＩＳモジュール１９がコンタクトガラス１８に対してがたつくことを抑制できる。その結果、ＣＩＳモジュール１９をコンタクトガラス１８に対して精度よく位置決めすることができる。
【００７９】
また、コイルばね３８が設けられることにより、ＣＩＳモジュール１９と底部３２との間には、コイルばね３８の介在による隙間３９が形成される。そのため、収容部３１内に入り込んだ液体が底部３２上を流れるときに、液体がＣＩＳモジュール１９に触れることを抑制できる。その結果、水濡れによるＣＩＳモジュール１９の故障の発生を一層抑制することができる。
【００８０】
収容部３１の側部３３は、ＣＩＳモジュール１９の全周を取り囲んでいる。この構成においても、貫通孔４０が形成されているので、収容部３１内に入り込んだ液体を貫通孔４０から排出することができる。
【００８１】
収容部３１の側部３３は、コンタクトガラス１８を下方から支持する支持部３５と、コンタクトガラス１８の側面に当接する当接部３６とを有している。そして、側部３３は、コンタクトガラス１８を保持している。液体がコンタクトガラス１８と当接部３６との間およびコンタクトガラス１８と支持部３５との間を通って収容部３１内に入り込んでも、その液体を貫通孔４０から排出することができる。
【００８２】
複合機１には、シートに画像を形成する画像形成部７と、収容部３１の下方に配置され、画像形成部７によって画像が形成されたシートが排出される排出トレイ５とがさらに含まれている。収容部３１と排出トレイ５との間には、カバー５１が収容部３１を下方から覆うように設けられている。この構成によれば、収容部３１の貫通孔４０から排出された液体をカバー５１で受けることができる。そのため、収容部３１の貫通孔４０から排出された液体が排出トレイ５にかかることを抑制できる。その結果、排出トレイ５に排出されたシートに液体がかかったり、画像形成部７内に液体が入り込んだりすることを抑制できる。
【００８３】
カバー５１には、貫通孔４０に下方から対向する部分に下方に凹んだ凹部５４が形成されていることが好ましい。この場合、カバー５１で受けた液体を凹部５４に溜めることができる。そのため、カバー５１で受けた液体がカバー５１から溢れることを抑制できる。
＜変形例＞
【００８４】
以上、本発明の一実施形態について説明したが、本発明は、他の形態で実施することもできる。
【００８５】
前述の実施形態では、底部３２の全体が水平方向に対して傾斜した構成を取り上げた。しかしながら、底部３２の前端部など、底部３２の少なくとも一部に水平面に対して前下がりに傾斜する傾斜部が形成されていてもよい。
【００８６】
また、側部３３がＣＩＳモジュール１９の全周を取り囲むように形成された構成を取り上げたが、たとえば、ＣＩＳモジュール１９の後方が開放されるように、側部３３が形成されていてもよい。
【００８７】
また、コンタクトガラス１８は、コンタクトガラス１８の上面は、各ＬＦローラ１５の周面の接触位置と各排出ローラ１６の周面の接触位置とを結ぶ直線に沿って延びているとした。しかし、これに限らず、例えば、コンタクトガラス１８は、各ＬＦローラ１５の周面の接触位置と各排出ローラ１６の周面の接触位置とを結ぶ直線に対し、約０．０５°傾いていてもよい。
【００８８】
また、収容部３１の底部３２の前端部と側部３３とがなす角部において、左右方向の中央部、左端部および右端部にそれぞれ貫通孔４０が形成されているとした。しかしながら、貫通孔４０の位置は、底部３２の前端部と側部３３とがなす角部における中央部、左端部および右端部に限らない。たとえば、底部３２の前端部と側部３３とがなす角部における中央部に、２個の貫通孔４０が左右方向に間隔を空けて形成され、その角部における左端部または右端部に、１個の貫通孔４０が形成されていてもよい。３個の貫通孔４０は、底部３２の前端部と側部３３とがなす角部において、収容部３１内に入り込んだ液体を良好に排出可能な位置に分散または集中して形成されていればよい。
【００８９】
貫通孔４０の個数は、１個であってもよい。たとえば、収容部３１の底部３２が前右下がりに傾斜している場合には、貫通孔４０が底部３２の前端部と側部３３とがなす角部の右端部に１個だけ形成されていてもよい。すなわち、１個の貫通孔４０が底部３２の前端部と側部３３とがなす角部における最下位置に形成されていてもよい。
【００９０】
貫通孔４０の個数は、２個であってもよい。たとえば、貫通孔４０は、底部３２の前端部と側部３３とがなす角部の左端部および右端部にそれぞれ１個ずつ形成されていてもよい。
【００９１】
貫通孔４０の個数は、４個以上であってもよい。
【００９２】
また、貫通孔４０は、正面視および底面視のいずれにおいても矩形状をなしているとした。しかしながら、貫通孔４０の形状は、これに限らない。たとえば、貫通孔４０は、正面視および底面視のいずれにおいても半円形状をなしていてもよい。また、貫通孔４０は、正面視および底面視の一方において矩形状をなし、他方において半円形状をなしていてもよい。さらにまた、貫通孔４０は、正面視および底面視において、楕円形状など、矩形状および半円形状以外の形状をなしていてもよい。
【００９３】
また、前述の実施形態において、押圧部材の一例としてコイルばね３８を挙げたが、これに限らず、例えば、押圧部材は、スポンジ、及び板バネ等であってもよい。
【００９４】
さらにまた、本発明が複合機１に適用された場合を例にとったが、本発明は、ファクシミリ機能およびプリンタ機能を有さず、スキャナ機能のみを有するイメージスキャナに適用されてもよい。
【００９５】
その他、前述の構成には、特許請求の範囲に記載された事項の範囲で種々の設計変更を施すことが可能である。
【符号の説明】
【００９６】
１    複合機
５    排出トレイ
７    画像形成部
１８  コンタクトガラス
１９  ＣＩＳモジュール
３１  収容部
３２  底部
３３  側部
３５  支持部
３６  当接部
３８  コイルばね
３９  隙間
４０  貫通孔
５１  カバー
５４  凹部
【図１】
0005927953.tif 000002
【図２】
0005927953.tif 000003
【図３】
0005927953.tif 000004
【図４】
0005927953.tif 000005
【図５】
0005927953.tif 000006
【図６】
0005927953.tif 000007
【図７】
0005927953.tif 000008